(57)【特許請求の範囲】
【請求項１】
剥離すべき床版を複数のブロック片に切断し、切断したブロック片上に、縦フレーム及び横フレームを方形状に枠組みして形成した枠体を装置本体とする床版剥離装置を被せ、
該床版剥離装置の装置本体である方形状に枠組みした枠体における一方側隅角部となる横フレームあるいは縦フレーム下部の少なくとも２カ所に回動部を形成し、該回動部を軸として前記床版剥離装置を上下方向に回動可能とし、
かつ床版剥離装置の装置本体である方形状に枠組みした枠体における他方側隅角部となる横フレームあるいは縦フレーム下部の少なくとも２カ所に上下方向に揺動する揺動部を形成し、
前記揺動部が形成された近傍位置における一対の横フレームあるいは縦フレームをつなぐ一対の縦フレームあるいは横フレームには、剥離すべき床版のブロック片と前記一対の縦フレームあるいは横フレームとを連結する連結部を形成して連結し、
前記連結後に、前記揺動部を作動して、前記床版剥離装置の装置本体である方形状に枠組みした枠体の揺動部形成側を上方向に揺動させ、前記連結部により床版のブロック片の一端側から該ブロック片を捲るようにして路面から剥離し、
剥離後は、 前記床版剥離装置における方形状に枠組みされた枠体の四隅部上方に設けられた吊り上げ部にロープを係止し、該ロープをクレーンで吊り上げ、前記床版剥離装置と剥離したブロック片とを吊り上げ移動する、
ことを特徴とする床版剥離方法。
【請求項２】
剥離すべき床版を複数のブロック片に切断し、切断したブロック片上に、縦フレーム及び横フレームを方形状に枠組みして形成した枠体を装置本体とする床版剥離装置を被せ、
該床版剥離装置の装置本体である方形状に枠組みした枠体における一方側隅角部となる横フレームあるいは縦フレーム下部の少なくとも２カ所に回動部を形成し、該回動部を軸として前記床版剥離装置を上下方向に回動可能とし、
かつ床版剥離装置の装置本体である方形状に枠組みした枠体における他方側隅角部となる横フレームあるいは縦フレーム下部の少なくとも２カ所に上下方向に揺動する揺動部を形成し、
前記揺動部が形成された近傍位置における一対の横フレームあるいは縦フレームをつなぐ一対の縦フレームあるいは横フレームには、剥離すべき床版のブロック片と前記一対の縦フレームあるいは横フレームとを連結する連結部を複数個形成して連結し、
前記連結後に、前記揺動部を作動して、前記床版剥離装置の装置本体である方形状に枠組みした枠体の揺動部形成側を上方向に揺動させ、前記複数個の連結部により床版のブロック片の一端側から該ブロック片を捲るようにして路面から剥離し、
剥離後は、 前記床版剥離装置における方形状に枠組みされた枠体の四隅部上方に設けられた吊り上げ部にロープを係止し、該ロープをクレーンで吊り上げ、前記床版剥離装置と剥離したブロック片とを吊り上げ移動する、
ことを特徴とする床版剥離方法。
【請求項３】
前記連結部は、横フレームあるいは縦フレームの長手方向に向かい間隔をあけて複数箇所に設けられた、
ことを特徴とする請求項１または請求項２記載の床版剥離方法。
【請求項４】
前記連結部の設置箇所は、横フレームあるいは縦フレームの長手方向に調節自在とされた、
ことを特徴とする請求項１、請求項２または請求項３記載の床版剥離方法。
【請求項５】
前記装置本体は、方形状の枠組みする縦フレーム及び横フレームとの枠組み間隔が調整自在に構成された、
ことを特徴とする請求項１、請求項２、請求項３または請求項４記載の床版剥離方法。
【請求項６】
前記方形状の枠組み形状は、正方形、長方形、台形及び平行四辺形状に形成自在とされた、
ことを特徴とする請求項１、請求項２、請求項３、請求項４または請求項５記載の床版剥離方法。
【発明の詳細な説明】
【技術分野】
【０００１】
本発明は、例えば橋梁あるいは高速道路等の道路上の路面に敷設されたコンクリート床版を解体して剥離する床版剥離方法に関するものである。
【背景技術】
【０００２】
例えば橋梁あるいは高速道路など道路上の路面に敷設されたいわゆるコンクリート床版を剥離して解体し、新しいコンクリート床版を敷設する工事が一般的に行われている。
この様な工事で実施される前記コンクリート床版を剥離する工法は近年数多く提案されており、さらによりコストを安価に、より作業を迅速に、より確実に床版を剥離する工法並びに剥離装置が要望されるに至っている。
ところで、従来からの床版剥離方法及び床版剥離装置は、まず解体すべきコンクリート床版を剥離しやすくするためにまず複数のブロック片に切断する。
ついで、剥離しようとする切断した床版ブロック片に隣接するコンクリート床版に例えば梁部材を架け渡し、該梁部材に剥離するコンクリート床版と、この梁部材とを繋ぐ、いわゆる吊り棒を取り付け、該吊り棒を吊り上げあるいは持ち上げることにより、コンクリート床版を剥離するものとしていた。
しかしながら、このような従来の剥離方法及び剥離装置は、架け渡した梁部材長手方向に間隔をあけて少なくとも２本以上複数本の吊り棒を取り付けており、コンクリート床版を剥離する際に、前記複数本の吊り棒を同時に上方に吊り上げる作業を行うなど、より確実にコンクリート床版を剥離でき、より剥離作業が迅速に出来、しかもより剥離コストが安価にしうるとの近年の要望に１００パーセント対応するものではないとの課題が生じていた。
【０００３】
【特許文献１】特開２００１−８１７３１号公報
【発明の開示】
【発明が解決しようとする課題】
【０００４】
かくして、本発明は、前記従来の課題を解消するために創案されたものであって、より確実にコンクリート床版を剥離でき、より剥離作業が迅速に出来、しかもより剥離コストが安価にしうる床版剥離方法を提供することを目的とするものである。
【課題を解決するための手段】
【０００５】
本発明による床版剥離方法は、
剥離すべき床版を複数のブロック片に切断し、切断したブロック片上に、縦フレーム及び横フレームを方形状に枠組みして形成した枠体を装置本体とする床版剥離装置を被せ、
該床版剥離装置の装置本体である方形状に枠組みした枠体における一方側隅角部となる横フレームあるいは縦フレーム下部の少なくとも２カ所に回動部を形成し、該回動部を軸として前記床版剥離装置を上下方向に回動可能とし、
かつ床版剥離装置の装置本体である方形状に枠組みした枠体における他方側隅角部となる横フレームあるいは縦フレーム下部の少なくとも２カ所に上下方向に揺動する揺動部を形成し、
前記揺動部が形成された近傍位置における一対の横フレームあるいは縦フレームをつなぐ一対の縦フレームあるいは横フレームには、剥離すべき床版のブロック片と前記一対の縦フレームあるいは横フレームとを連結する連結部を形成して連結し、
前記連結後に、前記揺動部を作動して、前記床版剥離装置の装置本体である方形状に枠組みした枠体の揺動部形成側を上方向に揺動させ、前記連結部により床版のブロック片の一端側から該ブロック片を捲るようにして路面から剥離し、
剥離後は、 前記床版剥離装置における方形状に枠組みされた枠体の四隅部上方に設けられた吊り上げ部にロープを係止し、該ロープをクレーンで吊り上げ、前記床版剥離装置と剥離したブロック片とを吊り上げ移動する、
ことを特徴とし、
または、
剥離すべき床版を複数のブロック片に切断し、切断したブロック片上に、縦フレーム及び横フレームを方形状に枠組みして形成した枠体を装置本体とする床版剥離装置を被せ、
該床版剥離装置の装置本体である方形状に枠組みした枠体における一方側隅角部となる横フレームあるいは縦フレーム下部の少なくとも２カ所に回動部を形成し、該回動部を軸として前記床版剥離装置を上下方向に回動可能とし、
かつ床版剥離装置の装置本体である方形状に枠組みした枠体における他方側隅角部となる横フレームあるいは縦フレーム下部の少なくとも２カ所に上下方向に揺動する揺動部を形成し、
前記揺動部が形成された近傍位置における一対の横フレームあるいは縦フレームをつなぐ一対の縦フレームあるいは横フレームには、剥離すべき床版のブロック片と前記一対の縦フレームあるいは横フレームとを連結する連結部を複数個形成して連結し、
前記連結後に、前記揺動部を作動して、前記床版剥離装置の装置本体である方形状に枠組みした枠体の揺動部形成側を上方向に揺動させ、前記複数個の連結部により床版のブロック片の一端側から該ブロック片を捲るようにして路面から剥離し、
剥離後は、 前記床版剥離装置における方形状に枠組みされた枠体の四隅部上方に設けられた吊り上げ部にロープを係止し、該ロープをクレーンで吊り上げ、前記床版剥離装置と剥離したブロック片とを吊り上げ移動する、
ことを特徴とし、
または、
前記連結部は、横フレームあるいは縦フレームの長手方向に向かい間隔をあけて複数箇所に設けられた、
ことを特徴とし、
または、
前記連結部の設置箇所は、横フレームあるいは縦フレームの長手方向に調節自在とされた、
ことを特徴とし、
または、
前記装置本体は、方形状の枠組みする縦フレーム及び横フレームとの枠組み間隔が調整自在に構成された、
ことを特徴とし、
または、
前記方形状の枠組み形状は、正方形、長方形、台形及び平行四辺形状に形成自在とされた、
ことを特徴とするものである。
【発明の効果】
【０００６】
本発明によれば、より確実にコンクリート床版を剥離でき、より剥離作業が迅速に出来、しかもより剥離コストが安価にしうるとの優れた効果を奏する。
【発明を実施するための最良の形態】
【０００７】
以下本発明を図に示す実施例に基づいて説明する。
図１は例えば、高速道路、一般道路等道路１の路面に敷設されたコンクリート床版２を複数のブロック片３・・に切断した状態を示すものであり、このように、当該解体すべき路面上のコンクリート床版２は複数のブロック片３・・・に切断される。該切断に使用される器具については何ら限定されないが、通常のカッターなどにより容易に切断できる。
【０００８】
まず、路面の幅が広い場合には、当該路面の幅方向中央位置に路面長手方向に向かって切れ目４が入れられる。しかし、比較的路面の幅が狭い場合には、前記長手方向の切れ目４を必要としないこともある。
次に、路面長手方向に向かって所定の間隔をおき、路面幅方向に向かう切れ目５が入れられる。すると、路面に敷設されたコンクリート床版２が剥離しやすいように複数のブロック片３・・・、例えば略長方形状をしたブロック片３・・・が形成される。
【０００９】
図２は、本発明において使用される床版剥離装置６を示す。この床版剥離装置６はあらかじめ方形状に組み立てられている。
すなわち、縦フレーム７と横フレーム８とを枠組みして略方形状の枠体が形成されている。該方形状の枠体が前記床版剥離装置６の装置本体９となる。
ここで、縦フレーム７及び横フレーム８の構成は何ら限定されるものではないが、それぞれ縦フレーム７及び横フレーム８の長手方向において接続の長さ調節が簡単にできる部材であることが好ましい。
その一例を説明すると、縦フレーム７及び横フレーム８は同様の部材で構成してもよく、それらは、いわゆる一対のＣ型チャンネルを所定の間隔１０をあけて向かい合わせにし、複数の連結部材１１で連結した部材としてある。
【００１０】
しかして、このような縦フレーム７と横フレーム８とを略方形状に枠組みし、前記縦フレーム７と横フレーム８との重合部に固定部材１２を挿通し、締結することにより縦フレーム７と横フレーム８とを強固に方形状に枠組みできる。
ここで、該装置本体９の枠体形状は自在に変更できるものであり、施工する箇所及び剥がすべきコンクリート床版２の切断形状に合わせて枠体形状を調整できるよう構成されている。
例えば正方形（図２参照）、長方形（図３参照）、台形あるいは平行四辺形など様々な方形状に枠組みすることもできる。
本発明では、剥離すべきコンクリート床版２の形状に合わせて床版剥離装置６における装置本体９の形状を自在に調節し、変更できるように構成してある。
【００１１】
次に、方形状に枠組みした、例えば装置本体９の一方側隅角部下部には、装置本体９を前記一方側隅角部を軸として上下方向に回動させる回動部１３が形成されている（図４等参照）。
すなわち、例えば装置本体９を構成する縦フレーム７及び横フレーム８のうち、一対の横フレーム８，８の長手方向一端部下部を軸として、装置本体９を上下方向に回動させる回動部１３，１３が形成されるものとなる。
【００１２】
当該回動部１３の構成について何らその構成が限定されるものではないが、実際に使用される回動部１３の一例を説明する。
図８，図９に示す様に、平板状の基部１４に山状をなす連結片１５，１５が一対、所定の間隔をおいて略垂直方向に立ち上げられて取り付け固定され、該一対の連結片１５の略中央部に円状の貫通孔１６、１６が連通するよう穿設された第１回動部材１７が用意される。
【００１３】
また、平板状をなす基部１４に山状をなす連結片１５が略垂直方向に立ち上げられて取り付け固定され、該連結片１５の略中央部に円状の貫通孔１６が穿設された第２回動部材１８が用意される。
そして、前記第１回動部材１７における一対の連結片１５、１５間の隙間に第２回動部材１８の連結片１５が山状の頂角側から挿入され、双方の貫通孔１５，１５，１５が連通状態となる。その後、これら貫通孔１５，１５，１５に回動軸１９が嵌入され、当該回動軸１９を中心軸として回動するよう構成される。
【００１４】
しかして、前記の回動部１３，１３が例えば一対の横フレーム８，８の長手方向一端部側下部に取り付けられ、該回動部１３，１３を中心軸として床版剥離装置６自体が上下方向に回動するよう構成されるのである。
次に、図４などから理解されるように、一対の横フレーム８，８の長手方向他端部側下部には、装置本体９を上下方向に向かって揺動させる揺動部２０，２０が一対設けられている。
ここで、当該揺動部２０の構成についても何ら限定されるものではなく、上下方向へ揺動する機構を備えている部材であれば構わない。
この揺動部２０の一例を挙げると、上下方向に揺動する油圧ジャッキなどを用いて構成した部材があげられる。
【００１５】
続いて、前記一対の横フレーム８，８には、剥離すべきコンクリート床版２の剥離すべきブロック片３と前記一対の横フレーム８，８とを連結する連結部２１が取り付けられる。
【００１６】
該連結部２１は、例えば、少なくとも両端部側が雄ねじ状に形成された基杆２２と、該基杆２２の雄ねじ部に螺挿するナット状の締結部材２３，２３を有して構成される。
【００１７】
しかして、図４乃至図７に示すように、剥離すべきコンクリート床版２のブロック片３には切削穴２４が切削されてあり、横フレーム８の上方間隔１０から基杆２２を挿入し、前記切削穴２４を通過させる。そして、コンクリート床版２の剥離すべきブロック片３裏面から締結部材２３を基杆２２の雄ねじ部に螺挿させる。
【００１８】
さらに、前記横フレーム８の上方側から基杆２２の雄ねじ部に締結部材２３を螺挿し、締結する。これによりコンクリート床版２のブロック片３と床版剥離装置６とが連結部２１により繋げられるものとなる。
【００１９】
ところで、前記連結部２１の取り付け数についても、何ら限定されるものではなく、図４に示すように、一対の横フレーム８，８上に１個ずつ連結部２１を取り付けた場合でも構わないし、図５乃至図７に示すように、複数個取り付けても構わないものである。
【００２０】
以上において、次に、本発明の使用状態につき説明する。
【００２１】
まず、図１に示すように、例えば高速道路上のコンクリート床版２を複数枚のブロック片３・・・に切断する。
この際、あらかじめ床版剥離装置６は組み立てておく。一対の縦フレーム７，７と一対の横フレーム８，８を用意し、これらを固定部材１２・・で固定し、略方形状に枠組みする。当該枠組みの形状は、コンクリート床版２を切断したブロック片３の形状に合致させる。
【００２２】
所定の形状に枠組みされた床版剥離装置６にはその四隅部上方に吊り上げ部２５が各々設けられており、該吊り上げ部２５には吊り上げ用のロープ２６が係止出来るように構成されている。
よって、該ロープ２６をクレーンなどで吊り上げ、これにより床版剥離装置６自体を吊り上げて、剥離すべきブロック片３の上に降下させる。
【００２３】
その状態はほぼ図４で示す状態となる。すなわち、剥離すべきブロック片３に隣り合うコンクリート床版２上に床版剥離装置６の一方側端部下部に設けた回動部１３が配置され、かつ他方側端部下部に設けた揺動部２０が他方の隣り合うコンクリート床版２上に配置されるものとなる。
【００２４】
ここで、剥離すべきブロック片３には切削穴２４があらかじめ穿孔されており、該切削穴２４に連結部２１の基杆２２を挿通し、ブロック片３と床版剥離装置６とを連結する。
【００２５】
なお、連結部２１の設置数は何ら限定されないが、図４に示すように、片方１本、合計２本でも構わないし、図５，図６に示すように片方２本、合計４本使用しても構わない。
【００２６】
ただ、この設置位置はなるべく揺動部２０の近傍位置であることが好ましい。
揺動部２０に近ければ、上下揺動の動力を確実に連結部２１に伝えることが出来、もってコンクリート床版２のブロック片３を確実に捲りあげることが出来、その結果スムーズにブロック片３を剥がすことが出来るからである。
【００２７】
この状態から、揺動部２０を作動させ、床版剥離装置６の他方側を上方に持ち上げる。すると、剥離すべきブロック片３は一端側から捲れるようにして路面より剥離する。さらに、図６から理解されるように、揺動部２０をさらに作動させて床版剥離装置６の他端側を上方に持ち上げるとほぼブロック片３は捲られて路面より完全に剥離するものとなる。
【００２８】
その後、図７に示すように、クレーン等で床版剥離装置６及び当該装置６で剥離したブロック片３をも吊り上げ、運搬車両まで移動する。
【００２９】
なお、ブロック片３を剥離した後、近傍の現場でいったん降ろし、そこで床版剥離装置６から剥離したブロック片３を取り外し、ブロック片３のみを運搬移動しても構わないものである。
【００３０】
以後、上記の作業を切断したブロック片３ごとに行い。すべてのコンクリート床版２を捲りあげ、剥離するものとなる。
【図面の簡単な説明】
【００３１】
【図１】コンクリート床版を切断した状態の説明図（その１）である。
【図２】本発明による床版剥離装置の構成を説明する構成説明図（その１）である。
【図３】本発明による床版剥離装置の構成を説明する構成説明図（その２）である。
【図４】本発明による床版剥離装置の構成を説明する構成説明図（その３）である。
【図５】本発明による床版剥離装置の構成を説明する構成説明図（その４）である。
【図６】本発明による床版剥離装置の構成を説明する構成説明図（その５）である。
【図７】本発明による床版剥離装置の使用状態を説明する説明図（その６）である。
【図８】回動部の構成を説明する正面図である。
【図９】回動部の構成を説明する側面図である。
【図１０】本発明による床版剥離装置の構成を説明する斜視図である。
【符号の説明】
【００３２】
１ 高速道路
２ コンクリート床版
３ ブロック片
４ 切れ目
５ 切れ目
６ 床版剥離装置
７ 縦フレーム
８ 横フレーム
９ 装置本体
１０ 間隔
１１ 連結部
１２ 固定部材
１３ 回動部
１４ 基部
１５ 連結片
１６ 貫通孔
１７ 第１回動部材
１８ 第２回動部材
１９ 回動軸
２０ 揺動部
２１ 連結部
２２ 基杆
２３ 締結部材
２４ 切削穴
２５ 吊り上げ部
２６ ロープ
【図１】
0004573356.tif 000002
【図２】
0004573356.tif 000003
【図３】
0004573356.tif 000004
【図４】
0004573356.tif 000005
【図５】
0004573356.tif 000006
【図６】
0004573356.tif 000007
【図７】
0004573356.tif 000008
【図８】
0004573356.tif 000009
【図９】
0004573356.tif 000010
【図１０】
0004573356.tif 000011